(57)【要約】      （修正有）【課題】隙間をほとんど無くして見た目を好ましくするフックを形成する吸盤フック構造を提供する。【解決手段】吸盤フック構造は、本体１０、吸盤２０、フック３０及び面カバー４０を備える。本体は、隔板１１を有する。隔板には、穿孔１１１が形成される。吸盤２０には、牽引ピン２１が突設される。牽引ピンは、ばね２２に挿通された後、本体の穿孔へ挿設される。フック３０には、フック体３１の延伸方向と異なる方向でベース３２が設けられる。ベースは、牽引ピン２１の自由端を収容することができるように、対応箇所に切欠３２１を有する。牽引ピン２１の自由端には、貫通孔２１１が形成される。ベースの偏心位置に形成されたピン孔３２２にピン３２３が挿設され、ピン孔３２２及び貫通孔２１１を介してベースに牽引ピン２１が枢着される。【選択図】図２
0003186145.tif 000002
【実用新案登録請求の範囲】
【請求項１】
本体、吸盤、フック及び面カバーを備えた吸盤フック構造であって、
前記本体は、隔板を有し、前記隔板により前記本体を隔離して第１のチャンバ及び第２のチャンバを画成し、前記隔板には、穿孔が形成され、
前記吸盤には、牽引ピンが突設され、前記牽引ピンは、ばねに挿通された後、前記本体の穿孔へ挿設され、
前記フックには、フック体の延伸方向と異なる方向でベースが設けられ、前記ベースは、前記牽引ピンの自由端を収容することができるように、前記牽引ピンの自由端に対応した箇所に切欠を有し、前記牽引ピンの自由端には、貫通孔が形成され、前記ベースの偏心位置に形成されたピン孔にピンが挿設され、前記ピン孔及び前記貫通孔を介して前記ベースに前記牽引ピンが枢着され、前記本体は、前記フックを収納することが可能な凹溝を有し、前記フックが揺動されて前記凹溝へ嵌入されると、前記ベースの偏心により前記牽引ピンが引っ張られ、前記吸盤が変形して吸引力が発生し、所望の場所へ吸着可能となり、
前記面カバーは、前記本体の頂面側部に枢着され、回動して前記本体の頂面を覆うと、隙間がほとんど無くなることを特徴とする吸盤フック構造。
【請求項２】
前記凹溝は、前記フックの横断面と略同じ形状を有することを特徴とする請求項１に記載の吸盤フック構造。
【請求項３】
前記本体の外周と、前記面カバーとにより形成された略四角錐形の形状を有することを特徴とする請求項１に記載の吸盤フック構造。
【請求項４】
前記本体の外周と、前記面カバーとにより形成された略円錐形の形状を有することを特徴とする請求項１に記載の吸盤フック構造。
【請求項５】
本体、吸盤、フック及び面カバーを備えた吸盤フック構造であって、
前記本体は、隔板を有し、前記隔板は、前記本体を隔離して第１のチャンバ及び第２のチャンバを画成し、前記隔板には、穿孔が形成され、
前記吸盤には、牽引ピンが突設され、前記牽引ピンは、ばねに挿通された後、前記第２のチャンバまで達するように前記本体の前記穿孔へ挿設され、
前記フックには、フック体の延伸方向と異なる方向でベースが設けられ、前記ベースは、前記第２のチャンバへ収容されて、前記牽引ピンの自由端が収容可能な切欠を有し、前記牽引ピンの自由端には、貫通孔が形成され、前記ベースの偏心位置にはピン孔が形成され、前記ピン孔及び前記貫通孔にピンが挿通されて前記ベースに前記牽引ピンが枢着され、前記ベースの偏心により前記牽引ピンが引っ張られると、前記吸盤の変形により吸引力が発生して所望の場所へ吸着可能となり、
前記面カバーは、前記本体の頂面側部に枢着され、前記面カバーを揺動させて前記本体頂面を覆うと、隙間がほとんど無くなり、前記第２のチャンバの両側壁には、複数のダンパ部が突設され、前記ベースの両側面には、前記ダンパ部にそれぞれ係合可能な凸部が突設され、前記ダンパ部との間に発生する抵抗力により、前記フックを操作する際、前記ばねの弾性回復力により前記フックが前記面カバーを不用意に損壊されることを防ぐことを特徴とする吸盤フック構造。
【請求項６】
本体、吸盤、フック及び面カバーを備えた吸盤フック構造であって、
前記本体は隔板を含み、前記隔板により前記本体を隔離してチャンバ及び頂面が画成され、前記隔板には、穿孔が形成され、
前記吸盤には、牽引ピンが突設され、前記牽引ピンは、ばねに挿通された後、前記本体の前記穿孔に挿設され、
前記フックには、フック体の延伸方向と異なる方向でベースが設けられ、前記ベースは、前記牽引ピンの自由端を収容する切欠を有し、前記牽引ピンの自由端には、貫通孔が形成され、前記ベースの偏心位置にはピン孔が形成され、前記ピン孔及び前記貫通孔にピンが挿通され、前記ベースに前記牽引ピンが枢着され、前記ベースの偏心により前記牽引ピンが引っ張られると、前記吸盤が変形して吸引力が発生し、所定の位置へ吸着され、
前記面カバーは、前記本体の頂面側部に枢着され、前記面カバーが回動して前記本体の頂面を覆い、前記面カバーは、前記フックの位置に対応した箇所に凹溝を有し、前記面カバーが枢着軸を中心に回動して前記本体の頂面を覆うと、前記フックが前記凹溝へ嵌入され、隙間がほとんど無くなることを特徴とする吸盤フック構造。
【請求項７】
前記凹溝は、前記フックの横断面と略同じ形状を有することを特徴とする請求項６に記載の吸盤フック構造。
【請求項８】
前記本体の外周と、前記面カバーとにより形成された略四角錐形の形状を有することを特徴とする請求項６に記載の吸盤フック構造。
【請求項９】
前記本体の外周と、前記面カバーとにより形成された略円錐形の形状を有することを特徴とする請求項６に記載の吸盤フック構造。
【考案の詳細な説明】
【技術分野】
【０００１】
本考案は、吸盤フック構造に関し、特に、本体又は面カバーに形成された凹槽に、吸盤に吸引力を発生させて吸着するフックを嵌入し、面カバーにより本体頂面を覆い、隙間をほとんど無くして見た目を好ましくするフックに形成する吸盤フック構造に関する。
【背景技術】
【０００２】
物を吊り下げるには、一般にフックが使用される。フックは、種類が非常に多く、従来の吸盤フックを含む。市販されている従来の吸盤フックは、様々な特徴を有する物が多くて選択が容易でない。従来の吸盤フックは、フックを回動させると吸盤が変形して真空吸引力が発生し、真空吸引力により所望の位置へ吸着させることができ、フックを回動させると、フックが本体に固定されるが、本体と隙間がほとんど無い状態の見た目が好ましいものは従来の市販品にはほとんど存在しなかった。
【０００３】
また、従来の技術及び製造方式における様々な制限条件により、吸盤フックを欠点が無い完全な物に製造することは困難であり、想定外に突出したり凹んだりする欠点が生じることがあり、実際に使用する過程において突出してしまったり、不完全な又は欠点のある商品が製造され、消費者の購買意欲が低下したりブランド名に悪影響を与えて商品の競争力が低下したりする虞がある。そのため、消費者の信頼を取り戻すためにも、従来のフックには改善の余地があった。
【考案の概要】
【考案が解決しようとする課題】
【０００４】
本考案の目的は、本体又は面カバーに凹溝を有し、吸盤に吸引力を発生させて吸着するフックを凹溝に嵌入させてから、本体頂面を面カバーにより覆うことにより、隙間をほとんど無くして見た目を好ましくするフックを形成する吸盤フック構造を提供することにある。
【課題を解決するための手段】
【０００５】
上記課題を解決するために、本考案の第１の形態によれば、本体、吸盤、フック及び面カバーを備えた吸盤フック構造であって、前記本体は、隔板を有し、前記隔板により前記本体を隔離して第１のチャンバ及び第２のチャンバを画成し、前記隔板には、穿孔が形成され、前記吸盤には、牽引ピンが突設され、前記牽引ピンは、ばねに挿通された後、前記本体の穿孔へ挿設され、前記フックには、フック体の延伸方向と異なる方向でベースが設けられ、前記ベースは、前記牽引ピンの自由端を収容することができるように、前記牽引ピンの自由端に対応した箇所に切欠を有し、前記牽引ピンの自由端には、貫通孔が形成され、前記ベースの偏心位置に形成されたピン孔にピンが挿設され、前記ピン孔及び前記貫通孔を介して前記ベースに前記牽引ピンが枢着され、前記本体は、前記フックを収納することが可能な凹溝を有し、前記フックが揺動されて前記凹溝へ嵌入されると、前記ベースの偏心により前記牽引ピンが引っ張られ、前記吸盤が変形して吸引力が発生し、所望の場所へ吸着可能となり、前記面カバーは、前記本体の頂面側部に枢着され、回動して前記本体の頂面を覆うと、隙間がほとんど無くなり見た目が好ましくなることを特徴とする吸盤フック構造が提供される。
【０００６】
前記凹溝は、前記フックの横断面と略同じ形状を有することが好ましい。
【０００７】
前記本体の外周と、前記面カバーとにより形成された略四角錐形の形状を有することが好ましい。
【０００８】
前記本体の外周と、前記面カバーとにより形成された略円錐形の形状を有することが好ましい。
【０００９】
上記課題を解決するために、本考案の第２の形態によれば、本体、吸盤、フック及び面カバーを備えた吸盤フック構造であって、前記本体は、隔板を有し、前記隔板は、前記本体を隔離して第１のチャンバ及び第２のチャンバを画成し、前記隔板には、穿孔が形成され、前記吸盤には、牽引ピンが突設され、前記牽引ピンは、ばねに挿通された後、前記第２のチャンバまで達するように前記本体の前記穿孔へ挿設され、前記フックには、フック体の延伸方向と異なる方向でベースが設けられ、前記ベースは、前記第２のチャンバへ収容されて、前記牽引ピンの自由端が収容可能な切欠を有し、前記牽引ピンの自由端には、貫通孔が形成され、前記ベースの偏心位置にはピン孔が形成され、前記ピン孔及び前記貫通孔にピンが挿通されて前記ベースに前記牽引ピンが枢着され、前記ベースの偏心により前記牽引ピンが引っ張られると、前記吸盤の変形により吸引力が発生して所望の場所へ吸着可能となり、前記面カバーは、前記本体の頂面側部に枢着され、前記面カバーを揺動させて前記本体頂面を覆うと、隙間がほとんど無くなり見た目が好ましくなり、前記第２のチャンバの両側壁には、複数のダンパ部が突設され、前記ベースの両側面には、前記ダンパ部にそれぞれ係合可能な凸部が突設され、前記ダンパ部との間に発生する抵抗力により、前記フックを操作する際、前記ばねの弾性回復力により前記フックが前記面カバーを不用意に損壊させてしまうことを防ぐことを特徴とする吸盤フック構造が提供される。
【００１０】
上記課題を解決するために、本考案の第３の形態によれば、本体、吸盤、フック及び面カバーを備えた吸盤フック構造であって、前記本体は隔板を含み、前記隔板により前記本体を隔離してチャンバ及び頂面が画成され、前記隔板には、穿孔が形成され、前記吸盤には、牽引ピンが突設され、前記牽引ピンは、ばねに挿通された後、前記本体の前記穿孔に挿設され、前記フックには、フック体の延伸方向と異なる方向でベースが設けられ、前記ベースは、前記牽引ピンの自由端を収容する切欠を有し、前記牽引ピンの自由端には、貫通孔が形成され、前記ベースの偏心位置にはピン孔が形成され、前記ピン孔及び前記貫通孔にピンが挿通され、前記ベースに前記牽引ピンが枢着され、前記ベースの偏心により前記牽引ピンが引っ張られると、前記吸盤が変形して吸引力が発生し、所定の位置へ吸着され、前記面カバーは、前記本体の頂面側部に枢着され、前記面カバーが回動して前記本体の頂面を覆い、前記面カバーは、前記フックの位置に対応した箇所に凹溝を有し、前記面カバーが枢着軸を中心に回動して前記本体の頂面を覆うと、前記フックが前記凹溝へ嵌入され、隙間がほとんど無くなり見た目が好ましくなることを特徴とする吸盤フック構造が提供される。
【００１１】
前記凹溝は、前記フックの横断面と略同じ形状を有することが好ましい。
【００１２】
前記本体の外周と、前記面カバーとにより形成された略四角錐形の形状を有することが好ましい。
【００１３】
前記本体の外周と、前記面カバーとにより形成された略円錐形の形状を有することが好ましい。
【考案の効果】
【００１４】
本考案の吸盤フック構造は、本体又は面カバーに凹溝を有し、吸盤に吸引力を発生させて吸着するフックを凹溝に嵌入させてから、本体頂面を面カバーにより覆うことにより、隙間をほとんど無くして見た目を好ましくすることができる。
【図面の簡単な説明】
【００１５】
【図１】図１は、本考案の第１実施形態に係る吸盤フック構造を示す斜視図である。
【図２】図２は、本考案の第１実施形態に係る吸盤フック構造を示す分解斜視図である。
【図３】図３は、本考案の第１実施形態に係る吸盤フック構造を示す側面断面図である。
【図４】図４は、図３の線４−４に沿った断面図である。
【図５】図５は、本考案の第１実施形態に係る吸盤フック構造のフックを回動させると吸盤が変形し、定点で吸着させるときの状態を示す断面図である。
【図６】図６は、本考案の第１実施形態に係る吸盤フック構造のフックを定点へ回動させてから面カバーにより覆った状態を示す断面図である。
【図７】図７は、本考案の第２実施形態に係る吸盤フック構造を示す分解斜視図である。
【図８】図８は、本考案の第３実施形態に係る吸盤フック構造を示す斜視図である。
【図９】図９は、本考案の第４実施形態に係る吸盤フック構造を示す斜視図である。
【考案を実施するための形態】
【００１６】
以下、本考案の実施形態について図に基づいて説明する。なお、これによって本考案が限定されるものではない。
【００１７】
（第１実施形態）
図１〜図４を参照する。図１〜図４に示すように、本考案の第１実施形態に係る吸盤フック構造は、少なくとも本体１０、吸盤２０、フック３０及び面カバー４０から構成される。
【００１８】
本体１０は、隔板１１を有する。隔板１１は、本体１０を隔離して第１のチャンバ１２及び第２のチャンバ１３を画成する。隔板１１上には、穿孔１１１が形成されている。
【００１９】
吸盤２０には、牽引ピン２１が突設されている。牽引ピン２１は、ばね２２に挿通された後、本体１０の穿孔１１１へ挿設される。
【００２０】
フック３０には、フック体３１の延伸方向と異なる方向でベース３２が設けられている。ベース３２は、牽引ピン２１の自由端を嵌入させることができるように、牽引ピン２１の自由端に対応した箇所に切欠３２１が形成されている。牽引ピン２１の自由端には、貫通孔２１１が形成されている。ベース３２の偏心位置に形成されたピン孔３２２に、ピン３２３を挿設し、ピン孔３２２及び貫通孔２１１を介してベース３２に牽引ピン２１が枢着される。本体１０は、フック３０を嵌入することが可能な凹溝１４を有する。フック３０が揺動されて凹溝１４へ嵌入されると、ベース３２の偏心により牽引ピン２１が引っ張られ、吸盤２０が変形して吸引力が発生し、所望の位置へ吸着させることができる。
【００２１】
面カバー４０は、本体１０の頂面に枢着され、本体１０の頂面を覆うと、隙間をほとんど無くして見た目を好ましくするフックを形成することができる。
【００２２】
第１実施形態の吸盤フック構造の凹溝１４は、フック３０の横断面と略同じ形状を有する。
【００２３】
図１を参照する。図１に示すように、第１実施形態の吸盤フック構造は、本体１０の外周と、面カバー４０とにより形成された略四角錐形の形状を有する。
【００２４】
（第３実施形態）
図８を参照する。図８に示すように、本考案の第３実施形態に係る吸盤フック構造は、本体１０の外周と、面カバー４０とにより形成された略円錐形の形状を有する。
【００２５】
（第１実施形態）
図２〜図６を参照する。図２〜図６に示すように、本考案の第１実施形態に係る吸盤フック構造は、本体１０を含む。本体１０は、隔板１１を含み、隔板１１により本体１０が隔離されて第１のチャンバ１２及び第２のチャンバ１３が画成される。隔板１１には、穿孔１１１が形成される。吸盤２０には、牽引ピン２１が突設される。牽引ピン２１は、ばね２２に挿通された後、第２のチャンバ１３に達するように、本体１０の穿孔１１１に挿設される。フック３０には、フック体３１の延伸方向と異なる方向でベース３２が設けられる。ベース３２は、第２のチャンバ１３へ収容される。ベース３２には、牽引ピン２１の自由端を嵌入させることが可能な切欠３２１が形成されている。牽引ピン２１の自由端には、貫通孔２１１が形成されている。ベース３２の偏心位置にはピン孔３２２が形成され、ピン孔３２２にピン３２３が挿通され、ピン孔３２２及び貫通孔２１１を介してベース３２に牽引ピン２１が枢着される。ベース３２の偏心により牽引ピン２１を引っ張り、吸盤２０の変形により吸引力を発生させて固定点へ吸着させ（図５参照）、本体１０の頂面には、面カバー４０が枢着される。枢着された面カバー４０により本体１０の頂面が覆われると（図６参照）、隙間をほとんど無くして見た目を好ましくする。第２のチャンバ１３の両側壁には、複数のダンパ部１３１が突設されている。ベース３２の両側面には、複数のダンパ部１３１に係合可能な凸部３２４がそれぞれ突設され、複数のダンパ部１３１との間に抵抗力を発生させ、フック３０を操作する際、ばね２２の弾性回復力によりフック３０が面カバー４０を不用意に損壊させてしまうことを防ぐ。
【００２６】
（第２実施形態）
図７を参照する。図７に示すように、本考案の第２実施形態に係る吸盤フック構造は、本体１０を含む。本体１０は隔板１１を含み、隔板１１により本体１０を隔離してチャンバ１５及び頂面１６が画成される。隔板１１には、穿孔１１１が形成される。吸盤２０には、牽引ピン２１が突設される。牽引ピン２１は、ばね２２に挿通した後、本体１０の穿孔１１１に挿通される。フック３０には、フック体３１の延伸方向と異なる方向でベース３２が設けられている。ベース３２には、牽引ピン２１の自由端を収容する切欠３２１が形成されている。牽引ピン２１の自由端には、貫通孔２１１が形成される。ベース３２の偏心位置にはピン孔３２２が形成され、ピン孔３２２及び貫通孔２１１にピン３２３が挿通され、ベース３２と牽引ピン２１とが枢着される。ベース３２の偏心により牽引ピン２１が引っ張られ、吸盤２０の変形により吸引力を発生させて所望の位置へ吸着させ、本体１０の頂面に面カバー４０が枢着される。面カバー４０は、フック３０の位置に対応した箇所に凹溝４１を有する。フック３０が凹溝４１中へ収納された後、面カバー４０が枢着軸を中心に回動して本体１０の頂面を覆うと、隙間がほとんど無くなり見た目が好ましくなる。
【００２７】
第２実施形態の吸盤フック構造の凹溝４１は、フック３０の横断面と略同じ形状を有する。
【００２８】
図７を参照する。図７に示すように、第３実施形態の吸盤フック構造は、本体１０の外周と、面カバー４０とにより形成された略四角錐形の形状を有する。
【００２９】
（第４実施形態）
図９を参照する。図９に示すように、本考案の第４実施形態に係る吸盤フック構造は、本体１０の外周と、面カバー４０とにより形成された略円錐形の形状を有する。
【００３０】
本体又は面カバーに凹溝が形成され、フックが回動されると、吸盤に吸引力が発生し、フックが凹溝中に嵌入された後、面カバーにより本体の頂面を覆い、隙間をほとんど無くして見た目を好ましくする。
【００３１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３２】
１０      本体
１１      隔板
１２      第１のチャンバ
１３      第２のチャンバ
１４      凹溝
１５      チャンバ
１６      頂面
２０      吸盤
２１      牽引ピン
２２      ばね
３０      フック
３１      フック体
３２      ベース
４０      面カバー
４１      凹溝
１１１    穿孔
１３１    ダンパ部
２１１    貫通孔
３２１    切欠
３２２    ピン孔
３２３    ピン
３２４    凸部
【図１】
0003186145.tif 000003
【図２】
0003186145.tif 000004
【図３】
0003186145.tif 000005
【図４】
0003186145.tif 000006
【図５】
0003186145.tif 000007
【図６】
0003186145.tif 000008
【図７】
0003186145.tif 000009
【図８】
0003186145.tif 000010
【図９】
0003186145.tif 000011